(57)【要約】【課題】洋式便器の前後方向に伸びる安定脚を、支持脚に対して前後方向に伸ばして床面に固定される場合であっても、施工時におけるトイレ用手摺装置の取付作業を容易にできるトイレ用手摺装置を提供する。【解決手段】第２安定脚部は、支持脚が立設している位置よりも後方側に設けられた係止部が第１安定脚部に設けられた被係止部に係止して第２安定脚部の上方向への移動が規制されるとともに、支持脚が立設している位置よりも前方側で第２安定脚部の上方向及び前後方向の移動が規制されるように前記第１安定脚部に締結されていることを特徴とする。【選択図】図１
2014087462.tif 000002
【特許請求の範囲】
【請求項１】
洋式便器の左右の床面に固定され前記洋式便器の前後方向と同じ方向に伸びる一対の安定脚と、前記一対の安定脚から上方に立設される一対の支持脚と、前記一対の支持脚を前記洋式便器の上方で架設する架設部材と、を有する本体フレームと、前記本体フレームに取り付けられる手摺部と、を備えるトイレ用手摺装置において、
前記安定脚は、前記床面に固定される第１安定脚部と、前記支持脚が立設され前記第１安定脚部に取り付けられる第２安定脚部と、から構成されており、
前記第２安定脚部は、前記支持脚が立設している位置よりも後方側に設けられた係止部が前記第１安定脚部に設けられた被係止部に係止して前記第２安定脚部の上方向への移動が規制されるとともに、前記支持脚が立設している位置よりも前方側で前記第２安定脚部の上方向及び前後方向の移動が規制されるように前記第１安定脚部に締結されていることを特徴とするトイレ用手摺装置。
【請求項２】
前記安定脚の前後方向の長さにおいて、前記支持脚に対する前記安定脚の前方側又は後方側の一方の長さが他方の長さと異なることを特徴とする請求項１に記載のトイレ用手摺装置。
【請求項３】
前記係止部は、前記第２安定脚部の前端及び後端に形成されており、
前記第１安定脚部の前記被係止部に、前記第２安定脚部の前端又は後端の前記係止部の一方を係止させることを特徴とする請求項２に記載のトイレ用手摺装置。
【請求項４】
前記安定脚の前端は、前記架設部材に配設される背もたれの前面より後方側に配設されることを特徴とする請求項１乃至請求項３のいずれか１項に記載のトイレ用手摺装置。
【発明の詳細な説明】
【技術分野】
【０００１】
本願発明は、洋式便器に設けられるトイレ用手摺装置に関し、特に、高齢者や障害者等の用便時の動作や姿勢保持を介助するためのトイレ用手摺装置に関するものである。
【背景技術】
【０００２】
高齢者や障害者等の用便時の動作や姿勢保持を介助する目的として、従来から様々なトイレ用手摺装置が提案されている。例えば、特許文献１のトイレ用手摺装置には、洋式便器の左右の床面に洋式便器の前後方向に伸びる一対の接地脚と、一対の接地脚から上方に立設される一対の支柱とを備え、洋式便器の前後方向に伸びる一対の接地脚を床面に床固定板を介して固定することが開示されている。
【０００３】
トイレ用手摺装置が設置されるトイレ空間は、高齢者や障害者等の用便時に床面が汚れてしまいやすい。そこで、汚れやすい洋式便器の左右の床面を管理者が清掃をしやすいように、洋式便器の前後方向に伸びる接地脚を、支柱の前方側を短くし支柱の後方側にも伸ばすことにより、洋式便器の左右の床面を清掃する際に接地脚が邪魔になりにくいようにさせることが考えられる。
【先行技術文献】
【特許文献】
【０００４】
【特許文献１】特開２００２−２８２１７５号公報
【発明の概要】
【発明が解決しようとする課題】
【０００５】
しかしながら、単に洋式便器の前後方向に伸びる接地脚を、支持脚に対して前後方向に伸ばして床面に固定しようにすると、接地脚の床固定板が後方側にも配置されることになる。トイレ用手摺装置の施工時には、洋式便器の左右の狭い空間でトイレ用手摺装置の取付作業をしなければならず、接地脚の床固定板に管理者の手が届きにくくトイレ用手摺装置の取付作業が困難であったという問題があった。
【０００６】
本発明は、このような課題に鑑みてなされたものであり、その目的は、洋式便器の前後方向に伸びる安定脚を、支持脚に対して前後方向に伸ばして床面に固定される場合であっても、施工時におけるトイレ用手摺装置の取付作業を容易にできるトイレ用手摺装置を提供することである。
【課題を解決するための手段】
【０００７】
本発明に係るトイレ用手摺装置では、洋式便器の左右の床面に固定され前記洋式便器の前後方向と同じ方向に伸びる一対の安定脚と、前記一対の安定脚から上方に立設される一対の支持脚と、前記一対の支持脚を前記洋式便器の上方で架設する架設部材と、を有する本体フレームと、前記本体フレームに取り付けられる手摺部と、を備えるトイレ用手摺装置において、前記安定脚は、前記床面に固定される第１安定脚部と、前記支持脚が立設され前記第１安定脚部に取り付けられる第２安定脚部と、から構成されており、前記第２安定脚部は、前記支持脚が立設している位置よりも後方側に設けられた係止部が前記第１安定脚部に設けられた被係止部に係止して前記第２安定脚部の上方向への移動が規制されるとともに、前記支持脚が立設している位置よりも前方側で前記第２安定脚部の上方向及び前後方向の移動が規制されるように前記第１安定脚部に締結されていることを特徴とする。
【０００８】
この好ましい態様によれば、洋式便器の前後方向に伸びる安定脚を、支持脚に対して前後方向に伸ばして床面に固定される場合であっても、第１安定脚部に第２安定脚部を締結する際、管理者の手が届きにくい支持脚の後方側の取付作業を係止させるだけでよく、施工時におけるトイレ用手摺装置の取付作業を容易にできる。
【０００９】
また、本発明に係るトイレ用手摺装置では、前記安定脚の前後方向の長さにおいて、前記支持脚に対する前記安定脚の前方側又は後方側の一方の長さが他方の長さと異なることを特徴とする。
【００１０】
この好ましい態様によれば、支持脚に対する安定脚の前方側と後方側の長さが異なるため、第１安定脚部に第２安定脚部を締結する際、第２安定脚部の取付方向を間違えにくくなり、施工時におけるトイレ用手摺装置の取付作業をより容易にできる。
【００１１】
また、本発明に係るトイレ用手摺装置では、前記係止部は、前記第２安定脚部の前端及び後端に形成されており、前記第１安定脚部の前記被係止部に、前記第２安定脚部の前端又は後端の前記係止部の一方を係止させることを特徴とする。
【００１２】
この好ましい態様によれば、第１安定脚部の被係止部に第２安定脚部の前端又は後端の係止部の一方を係止させることにより、支持脚に対する安定脚の前方側と後方側の長さを変更可能であるため、洋式便器の左右の奥側に止水栓等が配置されている場合に止水栓等と安定脚が干渉することを防止できる。
【００１３】
また、本発明に係るトイレ用手摺装置では、前記安定脚の前端は、前記架設部材に配設される背もたれの前面より後方側に配設されることを特徴とする。
【００１４】
この好ましい態様によれば、安定脚の前端が背もたれの前面より後方側に配設されるため、背もたれの前方側の汚れやすい床面に安定脚が配設されず、管理者が背もたれの前方側の床面を清掃しやすい。
【発明の効果】
【００１５】
本発明に係るトイレ用手摺装置は、洋式便器の前後方向に伸びる安定脚を、支持脚に対して前後方向に伸ばして床面に固定される場合であっても、施工時におけるトイレ用手摺装置の取付作業を容易にできる。
【図面の簡単な説明】
【００１６】
【図１】本発明の実施形態のトイレ用手摺装置を示す斜視図である。
【図２】本発明の実施形態のトイレ用手摺装置を示す側面図である。
【図３】本発明におけるトイレ用手摺装置の安定脚の内部構造を示す断面図である。
【図４】本発明におけるトイレ用手摺装置の安定脚の取付方法を示す模式図である。
【図５】本発明におけるトイレ用手摺装置の安定脚の取付方法を示す模式図である。
【図６】本発明におけるトイレ用手摺装置の安定脚の取付方法を示す模式図である。
【図７】本発明におけるトイレ用手摺装置の安定脚の取付方法を示す模式図である。
【図８】本発明におけるトイレ用手摺装置の他の安定脚の取付方法を示す模式図である。
【図９】本発明におけるトイレ用手摺装置の他の安定脚の取付方法を示す模式図である。
【図１０】本発明におけるトイレ用手摺装置の他の安定脚の取付方法を示す模式図である。
【発明を実施するための形態】
【００１７】
以下、図面を参照しつつ、本発明の実施形態のトイレ用手摺装置について説明する。尚、各図面中、同様の構成要素には同一の符号を示す。
【００１８】
図１は、本発明の実施形態のトイレ用手摺装置１を示す斜視図である。トイレ用手摺装置１は、洋式便器２の左右の床面に固定され洋式便器２の前後方向と同じ方向に伸びる一対の安定脚４と、一対の安定脚４から上方に立設される一対の支持脚６と、一対の支持脚６を洋式便器２の上方で架設する架設部材８と、を有する本体フレーム１０とによって構成されている。
【００１９】
架設部材８の両端には、回動可能にアームレストフレーム（手摺部）１２が取り付けられているが、支持脚６の上部に取り付けられても良い。また、架設部材８の中央には、高齢者や障害者等がもたれかけられるクッション性を有する背もたれ２４が取り付けられている。背もたれ２４は、架設部材８から着脱可能であって必要がない場合は取り外すことができる。
【００２０】
図３は、本発明におけるトイレ用手摺装置１の安定脚４の内部構造を示す断面図である。安定脚４は、床面に固定される第１安定脚部１４と、第１安定脚部１４が支持脚６に対して前後方向に配設するように第１安定脚部１４と支持脚６の下部とを接続する第２安定脚部１６とを備えている。尚、第１安定脚部１４は、支持脚６の前後でネジにより床面に締結されている。
【００２１】
また、安定脚４は、支持脚６に対して後方側で第２安定脚部１６の左右方向及び上下方向を規制して第１安定脚部１４に係止するとともに、支持脚６の前方側で第２安定脚部１６の前後方向を規制して第１安定脚部１４に締結する締結手段１８とを備えている。また、第１安定脚部１４と第２安定脚部１６は、意匠性のためカバー部材２８で覆われている。
【００２２】
図４〜図７は、本発明におけるトイレ用手摺装置１の安定脚４の取付方法を示す模式図である。洋式便器２の左右の空間において、第１安定脚部１４をネジで床面に締結した後、第１安定脚部１４の上方から第２安定脚部１６を取り付ける。その際、安定脚４の後方側で第１安定脚部１４の凹状の被係止部２０に第２安定脚部１６の凸状の係止部２２を係止させる。
【００２３】
次に、安定脚４の前方側で第１安定脚部１４の雌ねじを有する突出部３０を第２安定脚部１６に形成される孔部３２の所定位置に配置させ、突出部３０のナット固定部２６で第１安定脚部１４に第２安定脚部１６を嵌め合わせる。これにより、第２安定脚部１６は、第１安定脚部１４に対して左右方向、上下方向及び前後方向が規制され、第１安定脚部１４に固定される。尚、締結手段１８は、第１安定脚部１４の被係止部２０、第２安定脚部１６の係止部２２、突出部３０のナット固定部２６で構成されている。
【００２４】
その結果、本発明に係るトイレ用手摺装置１によれば、洋式便器２の前後方向に伸びる安定脚４を、支持脚６に対して前後方向に伸ばして床面に固定される場合であっても、第１安定脚部１４に第２安定脚部１６を固定する際、管理者の手が届きにくい支持脚６の後方側の取付作業を係止させるだけでよく、施工時におけるトイレ用手摺装置１の取付作業を容易にできる。
【００２５】
また、本発明に係るトイレ用手摺装置１は、支持脚６に対して第１安定脚部１４の後方側に形成される凹状の被係止部２０に、第２安定脚部１６の後端に形成される凸状の係止部２２を係止させる。より好ましくは、第１安定脚部１４の上面中央に形成された被係止部２０に、第２安定脚部１６の下面中央に形成された係止部２２を係止させる。
【００２６】
その結果、本発明に係るトイレ用手摺装置１によれば、第２安定脚部１４の係止部２２が後端に形成されているため、第１安定脚部１４の被係止部２０に第２安定脚部１６の係止部２２を係止させる際、被係止部２０に係止部２２が係止されやすい。また、第１安定脚部１４に対して第２安定脚部１６を所定位置でスライドさせれば、被係止部２０に係止部２２が係止されやすい。
【００２７】
図８〜図１０は、本発明におけるトイレ用手摺装置１の他の安定脚４の取付方法を示す模式図である。洋式便器２の左右の空間において、第１安定脚部１４をネジで床面に締結した後、第１安定脚部１４の上方から第２安定脚部１６を取り付ける。図８では、図４の第２安定脚部１６の前後方向を反転させた状態で、安定脚４の後方側で第１安定脚部１４の凹状の被係止部２０に第２安定脚部１６の凸状の係止部２２を係止させる。
【００２８】
次に、図９及び図１０では、図５及び図６と同様に、安定脚４の前方側で第１安定脚部１４の雌ねじを有する突出部３０を第２安定脚部１６に形成される孔部３２の所定位置に配置させ、突出部３０のナットで第１安定脚部１４に第２安定脚部１６を嵌め合わせる。これにより、第２安定脚部１６は、第１安定脚部１４に対して左右方向、上下方向及び前後方向が規制され、第１安定脚部１４に固定される。尚、締結手段１８は、第１安定脚部１４の被係止部２０、第２安定脚部１６の係止部２２、突出部３０のナット固定部２６で構成されている。
【００２９】
また、本発明に係るトイレ用手摺装置１は、図３に示すように、第２安定脚部１６の係止部２２が第２安定脚部１６の前端及び後端に形成されている。また、第１安定脚部１４の被係止部２０に第２安定脚部１６の前端及び後端に形成される係止部２２の一方を係止可能である。また、第２安定脚部１６の孔部３２も支持脚６に対して第２安定脚部１６の前後に形成されている。
【００３０】
その結果、本発明に係るトイレ用手摺装置１によれば、第１安定脚部１４の被係止部２０に第２安定脚部１６の前端又は後端の係止部２２の一方を係止させることにより、支持脚６に対する安定脚４の前方側と後方側の長さを変更可能であるため、洋式便器２の左右の奥側に止水栓等が配置されている場合に止水栓等と安定脚４が干渉することを防止できる。
【００３１】
また、本発明に係るトイレ用手摺装置１では、安定脚４の前端が架設部材８に配設される背もたれ２４の前面より後方側に配設されるため、背もたれ２４の前方側の汚れやすい床面に安定脚４が配設されず、管理者が背もたれ２４の前方側の床面を清掃しやすい。また、高齢者や障害者等が安定脚４を邪魔と感じることが少なくなる。
【００３２】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。
【００３３】
例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００３４】
１    トイレ用手摺装置
２    洋式便器
４    安定脚
６    支持脚
８    架設部材
１０    本体フレーム
１２    アームレストフレーム（手摺部）
１４    第１安定脚部
１６    第２安定脚部
１８    締結手段
２０    被係止部
２２    係止部
２４    背もたれ
２６    ナット固定部
２８    カバー部材
３０    突出部
３２    孔部
【図１】
2014087462.tif 000003
【図２】
2014087462.tif 000004
【図３】
2014087462.tif 000005
【図４】
2014087462.tif 000006
【図５】
2014087462.tif 000007
【図６】
2014087462.tif 000008
【図７】
2014087462.tif 000009
【図８】
2014087462.tif 000010
【図９】
2014087462.tif 000011
【図１０】
2014087462.tif 000012